(57)【要約】【課題】照明器具において、ランプボックスから発生するガスによる反射板の変色を抑制する。【解決手段】照明器具１は、ランプ２の給電用口金２３が装着されるソケット５１を有した器具本体５と、ランプ２と、ランプ２を覆うように器具本体５に取付けられる反射板３と、ランプ２を覆うように器具本体５に取付けられる透光性材から成り、ガスの透過を遮蔽する遮蔽部材４と、を備える。ランプ２は、発光部２１、発光部２１を支持するランプボックス２２、及びランプボックス２２に設けられた給電用口金２３を有する。遮蔽部材４は、ランプ２を覆って、ランプボックス２２から発生するこれらガスが反射板３に触れないように遮蔽する。これにより、ガスの付着による反射板３の変色を抑制することができ、照明器具１の外観及び器具効率を長期間維持することができる。【選択図】図１
2011113734.tif 000002
【特許請求の範囲】
【請求項１】
ランプの給電用口金が装着されるソケットを有した器具本体と、
発光部、前記発光部を支持するランプボックス、及び前記ランプボックスに設けられた給電用口金を有したランプと、
前記ランプを覆うように器具本体に取付けられる反射板と、を備えた照明器具において、
前記ランプを覆うように器具本体に取付けられる透光性材から成り、ガスの透過を遮蔽する遮蔽部材を備え、
前記遮蔽部材は、前記ランプボックスから発生するガスが前記反射板に触れないように遮蔽することを特徴とする照明器具。
【請求項２】
前記反射板は、前記ランプからの光を放出する大径開口部と、前記大径開口部と対向する小径開口部と、前記大径開口部と小径開口部との中心を結ぶ線を回転対称軸とする反射面を有し、
前記遮蔽部材は、一端が封止端、他端が開放端である筒形状に構成され、前記反射板の小径開口部を挿通し、前記開放端が器具本体の天板に固定され、前記ランプボックスから発生するガスが天板側から排出されるようにしたことを特徴とする請求項１に記載の照明器具。
【発明の詳細な説明】
【技術分野】
【０００１】
本発明は、光源からの光を反射する反射板を備えた照明器具に関し、具体的には、建物の天井や壁に埋め込まれて使用されるダウンライト等に関する。
【背景技術】
【０００２】
近年、ダウンライト、スポットライト、及び投光器などの照明器具において、器具効率を向上させるための反射板を備えた照明器具が知られている（例えば、特許文献１参照）。このような反射板を備えた照明器具の断面構成を図５に示す。照明器具１０１は、光源であるランプ１０２と、ランプ１０２からの光を反射する反射板１０３と、ランプ１０２と反射板１０３を保持する器具本体１０５と、を備える。
【０００３】
ランプ１０２は、発光部１２１、発光部１２１を支持するランプボックス１２２、ランプボックス１２２に設けられる給電用口金１２３を有する。反射板１０３は、ランプ１０２を覆うようにして器具本体１０５に取付けられる。器具本体１０５は、ランプ１０２の給電用口金１２３が装着されるソケット１５１と、反射板１０３を取付けるための取付部１５２と、を有する。照明器具１０１は、ランプ１０２から照射される光を反射板１０３で反射することにより、器具効率を向上させている。
【０００４】
しかしながら、このような構成の照明器具１０１においては、ランプ１０２の発光で発生する熱や紫外線でランプボックス１２２が劣化することによって、ランプボックス１２２に使用されている材料や添加剤などに由来する分解生成物から成るガスが発生する。反射板１０３は、このガスが付着することによって表面が曇ったり、変色したりするので、外観や反射特性が損なわれる。特に反射面が銀で形成された反射板１０３は、銀がガスと化学反応して変色し易いので、反射板の外観や反射特性がより損なわれる虞がある。
【先行技術文献】
【特許文献】
【０００５】
【特許文献１】特開２００３−２７２４１０号公報
【発明の概要】
【発明が解決しようとする課題】
【０００６】
本発明は、上記問題を解決するためになされたものであり、ランプボックスから発生するガスによる反射板の変色を抑制することができる照明器具を提供することを目的とする。
【課題を解決するための手段】
【０００７】
上記目的を達成するために請求項１の発明は、ランプの給電用口金が装着されるソケットを有した器具本体と、発光部、前記発光部を支持するランプボックス、及び前記ランプボックスに設けられた給電用口金を有したランプと、前記ランプを覆うように器具本体に取付けられる反射板と、を備えた照明器具において、前記ランプを覆うように器具本体に取付けられる透光性材から成り、ガスの透過を遮蔽する遮蔽部材を備え、前記遮蔽部材は、前記ランプボックスから発生するガスが前記反射板に触れないように遮蔽するものである。
【０００８】
請求項２の発明は、請求項１に記載の照明器具において、前記反射板は、前記ランプからの光を放出する大径開口部と、前記大径開口部と対向する小径開口部と、前記大径開口部と小径開口部との中心を結ぶ線を回転対称軸とする反射面を有し、前記遮蔽部材は、一端が封止端、他端が開放端である筒形状に構成され、前記反射板の小径開口部を挿通し、前記開放端が器具本体の天板に固定され、前記ランプボックスから発生するガスが天板側から排出されるようにしたものである。
【発明の効果】
【０００９】
請求項１の発明によれば、遮蔽部材がランプを覆うことで、ランプボックスから発生するガスが反射板に触れないように遮蔽するので、ガスの付着による反射板の変色を抑制することができる。これにより、外観及び器具効率を長期間維持することができる。
【００１０】
請求項２の発明によれば、ランプボックスから発生するガスが天板側から排出されるので、ガスが反射板に触れることを防止することができる。
【図面の簡単な説明】
【００１１】
【図１】本発明の一実施形態に係る照明器具の斜視図。
【図２】同照明器具が天井に装着された状態の断面図。
【図３】同照明器具の遮蔽部材の斜視図。
【図４】同照明器具の天板の平面図
【図５】従来の照明器具の断面図。
【発明を実施するための形態】
【００１２】
本発明の一実施形態に係る照明器具について、図１乃至図４を参照して説明する。図１及び図２に示されるように、照明器具１は、光源であるランプ２と、ランプ２を覆う反射板３と、反射板３の内部に設置される遮蔽部材４と、これら各部材を保持する器具本体５と、を備える。
【００１３】
ランプ２は、発光部２１と、発光部２１を支持するランプボックス２２と、ランプボックス２２に設けられる給電用口金２３と、を有する。反射板３は、ランプ２からの光を放出する大径開口部３１と、大径開口部３１と対向する小径開口部３２と、ランプ２からの光を反射する反射面３３と、大径開口部３１近傍に設けられているバネ部材３４と、を有する。
【００１４】
遮蔽部材４は、器具本体５に取付けるための連結部４１を有する。器具本体５は、給電用口金２３が装着されるソケット５１と、反射板３を取付けるための取付部５２と、遮蔽部材４の連結部４１と連結するガイド部５３を持つ天板５４と、ランプ２を点灯させるための安定器５５と、を有する。天井６に形成された孔６１に照明器具１を挿入した状態で、バネ部材３４は弾性力によって孔６１の周縁を挟み込んで照明器具１を天井６に固定する。安定器５５は、ソケット５１を介して給電用口金２３から給電してランプ２を発光させる。
【００１５】
発光部２１は、発光時の色温度、ランプ形状、ワット数などについて特に限定されるものではなく、例えば電球型蛍光灯が用いられる。ランプボックス２２は、耐熱性を有する樹脂から成る箱体形状で構成され、その内部に発熱を伴う電気部品が収納されている。ランプボックス２２の材料となる樹脂は、耐熱性の観点から、ポリブチレンテレフタレート（ＰＢＴ）、ポリカーボネート（ＰＣ）、ポリフェニレンスルフィド（ＰＰＳ）が用いられる。また、耐熱性や耐光性を向上させるために、酸化防止剤、難燃剤、紫外線吸収剤などが樹脂に添加されていてもよい。なお、ランプボックス２２の材料は金属であってもよい。
【００１６】
反射板３は、ランプ２からの照射光を効率よく反射すると共に、所望する配光が得られる形状であり、例えば椀形状に形成された基材と、この基材の内面上に形成される反射面３３とから構成される。
【００１７】
基材は、ランプ２から発生する熱に耐えうる樹脂、金属又はガラスから成る。例えば基材の材料が熱可塑性樹脂の場合、ポリブチレンテレフタレート（ＰＢＴ）、ポリエチレンテレフタレート（ＰＥＴ）、ポリフェニレンスルフィド（ＰＰＳ）、ポリフェニレンスルフィド（ＰＰＳ）、ポリフェニレンオキサイド（ＰＰＯ）、熱可塑性ポリイミド（ＰＩ）、ポリエーテルイミド（ＰＥＩ）、ポリカーボネイト（ＰＣ）、液晶ポリマー（ＬＣＰ）、シンジオタクチックポリスチレン（ＳＰＳ）等が用いられる。また、基材の材料が熱硬化性樹脂の場合、バルクモールディングコンパウンド（ＢＭＣ）用材料として一般的に用いられている不飽和ポリエステル（ＵＰ）等が用いられる。これら基材の材料である樹脂は、光反射性能、耐熱性、強度、耐光性などを向上させるために、無機充填剤などの各種添加剤が添加されてもよい。樹脂を所定形状の基材に成形する方法は、射出成形、圧縮成形、真空成形、圧空成形などによって行われる。
【００１８】
基材の材料が金属の場合、Ａｌ基合金、Ｍｇ基合金、Ｆｅ基合金などが用いられる。金属を所定形状の基材に成形する方法は、スピニング加工、プレス加工、ダイキャスト、チクソモールディング等によって行われ、用いられる材料と要求される基材の形状などを考慮して選択される。
【００１９】
基材の材料がガラスである場合、ガラスはプレス加工やブロー加工などによって所定形状に成形される。成形後の基材は、表面に加工油、離型剤、又は成形時のガスなどが付着しているとき、物理的又は化学的な方法によって付着物が除去される。
【００２０】
反射面３３は、大径開口部３１と小径開口部３２との中心を結ぶ線を回転対称軸（図２の一点鎖線）として形成されており、基材上に形成されたアンダーコート膜、光取り出し効率を高めるための光反射膜、及びトップコート膜から構成される。なお、製造コスト削減のために、光反射膜などを設けず、単に基材の表面を反射面３３としてもよい。
【００２１】
光反射膜の材料は、Ａｌ、Ａｇ又はＡｇ基合金材料が用いられる。具体的には、光反射膜の材料がＡｇの場合、Ｃｕ等の不純物を含んでいてもよいが、可視光域の反射率を向上させるために、Ａｇが９０ａｔ％以上含まれていることが好ましい。光反射膜の材料がＡｇ基合金の場合、光反射膜の耐久性を向上させるために、Ａｕ、Ｎｄ、Ｂｉ、Ｓｉ又はＭｇ等とＡｇの合金とすることが好ましい。
【００２２】
光反射膜を形成する方法は、真空蒸着法、マグネトロンスパッタリング法、イオンプレーティング法、イオンアシスト法、プラズマアシスト法、物理的蒸着法（ＰＶＤ）等によって行われる。
【００２３】
アンダーコート層とトップコート層は、材料としてエポキシ塗料、アクリル塗料、シリコーン塗料などが用いられ、スプレー法などで被対象物にコーティングされ、赤外線、熱風、紫外線又は電子線などの照射による硬化によって形成される。なお、反射面３３は、任意の膜厚、層構成にて基材上に形成されたＳｉＯ２又はＴｉＯ２等の無機膜から構成されてもよい。
【００２４】
図３に示されるように、遮蔽部材４は、ランプボックス２２から発生するガスを反射板３の内部に滞留させないために、一端が封止端４２、他端が開放端４３である筒形状に構成される。遮蔽部材４の連結部４１は、開放端４３の端面上に形成される首部４４と、首部４４から延出して形成されるフランジ部４５から成る。フランジ部４５の外周は反射板３の小径開口部３２よりも小さい。
【００２５】
遮蔽部材４の材料は、光拡散性、透明性又は半透明性の透光性材であって、熱や光で劣化してもガスが発生せず、ガスの透過を遮蔽するものであればよく、ランプ２から発せられる熱や紫外線の程度、設置される環境などによって適宜選択される。例えば、ポリメタクリル酸メチル樹脂（ＰＭＭＡ）、ポリカーボネート若しくはポリスチレン等である透光性の有機系材料、又はホウ珪酸ガラス、酸化ケイ素を主成分とする水晶若しくは酸化アルミニウムを主成分とするサファイヤ等である無機系材料が用いられる。
【００２６】
遮蔽部材４を任意の形状に形成する方法は、有機系材料であれば射出成形、圧縮成形、トランスファー成形、真空成形、圧空成形などによって行われ、無機系材料であればプレス加工やブロー加工などによって行われる。
【００２７】
図４に示されるように、器具本体５の天板５４は、天板５４の一部を切り抜いて形成されるガイド部５３及び孔部５６を有する。ガイド部５３は、平面視において遮蔽部材４のフランジ部４５と同じ形状の差込部５７と、遮蔽部材４の首部４４と同じ形状の固定部５８とから成る。孔部５６は、平面視においてガイド部５３の中に収まるように形成される。遮蔽部材４は、ガイド部５３の差込部５７に連結部４１を差し込み、ガイド部５３に沿って首部４４を固定部５８の位置にまでスライドさせることで、ランプ２を覆うように器具本体５に取付けられる。
【００２８】
上記のように構成された照明器具１のガスの遮蔽について説明する。ランプボックス２２は、ランプ２の発光で発生する熱や紫外線の照射によって、材料の樹脂や添加剤が劣化し、フェノール系酸化防止剤からブチルフェノールやジブチルヒドロキシトルエン（ＢＨＴ）のガス、臭素系難燃剤からジブロモスチレンやジブロモベンゼンのガス、又はポリブチレンテレフタレート樹脂（ＰＢＴ）から安息香酸やフタル酸のガス等を発生させる。遮蔽部材４は、ランプ２を覆って、ランプボックス２２から発生するこれらガスが反射板３に触れないように遮蔽する。これにより、ガスの付着による反射板３の変色を抑制することができ、照明器具１の外観及び器具効率を長期間維持することができる。
【００２９】
遮蔽部材４は、反射板３の小径開口部３２を挿通し、開放端４３が器具本体５の天板５４に固定されているので、ランプボックス２２から発生するガスを天板５４側から排出することができ、ガスが反射板３に触れることを防止することができる。これにより、ガスによる反射板３の変色をより抑制し、照明器具１の外観及び器具効率をより長期間維持することができる。また、照明器具１は、天板５４の孔部５６を通過させて天板５４側からガスを排出するので、ガスが外部に排出され易くなる。
【００３０】
なお、本発明は、上記の実施形態の構成に限られず、発明の要旨を変更しない範囲で種々の変形が可能である。例えば、上記実施形態では、反射板と遮蔽部材が別々に器具本体に取付けられるものを示したが、反射板の小径開口部と遮蔽部材の開口端が予め固定されており、同時に器具本体に取付けられるものであっても構わない。
【符号の説明】
【００３１】
１  照明器具
２  ランプ
２１  発光部
２２  ランプボックス
２３  給電用口金
３  反射板
３１  大径開口部
３２  小径開口部
３３  反射面
４  遮蔽部材
４１  開放端
４２  封止端
５  器具本体
５１  ソケット
５４  天板
【図１】
2011113734.tif 000003
【図２】
2011113734.tif 000004
【図３】
2011113734.tif 000005
【図４】
2011113734.tif 000006
【図５】
2011113734.tif 000007